(57)【要約】【課題】携帯端末にＷｅｂサーバー機能を持たせることなく、コンテンツ作成者は、手軽にインターネットに公開するコンテンツを携帯端末上で作成することにある。【解決手段】携帯電話機１０は、作成されたコンテンツ情報を記憶部１５に保存し、Ｗｅｂサーバー３０にコンテンツ情報の保管場所としてＵＲＬ登録申請を行うことで登録したＵＲＬと作成されたコンテンツ情報とを対応付けて記憶部１５に保存し、サーバー３０からコンテンツ取得要求があった場合に記憶部１５を基に該当するコンテンツ情報を読み出してサーバー３０に送信する。サーバー３０は、ＵＲＬ登録申請があった場合にＵＲＬに対応して携帯電話番号をテーブル４１に登録し、コンテンツ取得要求があった場合にテーブル４１から抽出した携帯電話番号宛てにコンテンツ取得要求を行うことでコンテンツ情報を受信してデータベース４３に保存すると共にコンテンツ取得要求元に送信する。【選択図】      図１
2005039588.tif 000002
【特許請求の範囲】
【請求項１】
無線網を介してインターネットの接続先であるＷｅｂサーバーにアクセスしてコンテンツ情報を閲覧する携帯Ｗｅｂサーバー方式であって、
コンテンツ情報を提供する携帯端末を備え、
前記携帯端末は、前記コンテンツ情報を作成させその作成されたコンテンツ情報を保存する保存手段と、
前記Ｗｅｂサーバーからのコンテンツ取得要求があった場合に該当するコンテンツ情報を前記Ｗｅｂサーバーに送信する第１の送信手段と、を有し、
前記Ｗｅｂサーバーは、前記作成されたコンテンツ情報に対するコンテンツ取得要求があった場合に前記携帯端末にコンテンツ取得要求を行う要求手段と、
前記要求手段により前記携帯電話からのコンテンツ情報を受信した場合に自サーバー内に前記受信したコンテンツ情報を保存すると共にコンテンツ取得要求元の前記携帯端末に送信する第２の送信手段と、を有することを特徴とする携帯Ｗｅｂサーバー方式。
【請求項２】
無線網を介してインターネットの接続先であるＷｅｂサーバーにアクセスしてコンテンツ情報を閲覧する携帯Ｗｅｂサーバー方式であって、
コンテンツ情報を提供する携帯端末を備え、
前記携帯端末は、前記コンテンツ情報を作成させその作成されたコンテンツ情報を保存する第１の保存手段と、
前記第１の保存手段で作成されたコンテンツ情報の登録場所をＵＲＬとして前記ＷｅｂサーバーにＵＲＬ登録申請を行う申請手段と、
前記登録申請したＵＲＬと前記作成されたコンテンツ情報とを対応付けて自携帯端末内に保存する第２の保存手段と、
前記Ｗｅｂサーバーから前記保存したＵＲＬに対するコンテンツ取得要求があった場合に前記第２の保存手段を基に該当するコンテンツ情報の保管場所を抽出しその抽出した保管場所から該当するコンテンツ情報を読み出して前記Ｗｅｂサーバーに送信する第１の送信手段と、を有し、
前記Ｗｅｂサーバーは、前記申請手段により前記携帯端末からのＵＲＬ登録申請があった場合にＵＲＬに対応して携帯電話番号を登録する登録手段と、
前記登録したＵＲＬに対するコンテンツ取得要求があった場合に前記登録手段を基に前記登録したＵＲＬに該当する携帯電話番号を抽出しその抽出した携帯電話番号宛てにコンテンツ取得要求を行う要求手段と、
前記要求手段により前記携帯端末からのコンテンツ情報を受信した場合に前記受信したコンテンツ情報を自サーバー内に保存すると共にコンテンツ取得要求元に送信する第２の送信手段と、を有することを特徴とする携帯Ｗｅｂサーバー方式。
【請求項３】
前記要求手段において前記携帯電話番号宛の携帯端末に接続できなければ前記第２の送信手段で保存したコンテンツ情報をコンテンツ取得要求元に送信する第３の送信手段を有することを特徴とする請求項１または２記載の携帯Ｗｅｂサーバー方式。
【請求項４】
前記ＵＲＬ内の構成の一部に前記ＵＲＬに対するコンテンツ情報を保存する前記携帯端末内の保存場所を示すルート指定が割り当てられることを特徴とする請求項３記載の携帯Ｗｅｂサーバー方式。
【請求項５】
無線網を介してコンテンツ情報を閲覧させるＷｅｂサーバーであって、
携帯端末から閲覧させるコンテンツ情報に対するＵＲＬ登録申請があった場合に前記携帯端末に対して前記コンテンツ情報の前記携帯端末内の保管場所情報を通知させる通知手段と、
前記通知手段により前記保管場所情報の通知があるとその保管場所情報に対応したＵＲＬを発生させその発生したＵＲＬに対応して携帯電話番号を登録する登録手段と、
前記ＵＲＬのコンテンツ情報のコンテンツ取得要求があった場合に前記登録手段を基に前記ＵＲＬに該当する携帯電話番号を抽出しその抽出した携帯電話番号宛てにコンテンツ取得要求を行う要求手段と、
前記要求手段により前記携帯電話からのコンテンツ情報を受信した場合に前記受信したコンテンツ情報を自サーバー内に保存すると共にコンテンツ取得要求元に送信する第１の送信手段と、を有することを特徴とするＷｅｂサーバー。
【請求項６】
前記要求手段において前記携帯電話番号宛の携帯端末に接続できなければ前記第１の送信手段で保存したコンテンツ情報を読み出してコンテンツ取得要求元に送信する第２の送信手段を有することを特徴とする請求項５記載のＷｅｂサーバー。
【請求項７】
前記ＵＲＬ内の構成の一部に前記ＵＲＬに対するコンテンツ情報を保存する前記携帯端末内の保存場所を示すルート指定が割り当てられることを特徴とする請求項５記載のＷｅｂサーバー。
【請求項８】
Ｗｅｂサーバーにユーザ登録し無線網を介してコンテンツ情報を閲覧させる携帯端末であって、
コンテンツ情報を作成させその作成されたコンテンツ情報を保存する第１の保存手段と、
前記第１の保存手段で作成されたコンテンツ情報の登録場所をＵＲＬとして前記Ｗｅｂサーバーに登録申請することで前記登録申請したＵＲＬに対するコンテンツ情報の取得要求があった場合にそのコンテンツ取得要求を自携帯端末宛てに行わせる申請手段と、
前記登録申請したＵＲＬと前記作成したコンテンツ情報とを対応付けて自携帯端末内に保存する第２の保存手段と、
前記Ｗｅｂサーバーから前記保存したＵＲＬに対するコンテンツ取得要求があった場合に前記第２の保存手段を基に該当するコンテンツ情報の保管場所を抽出しその抽出した保管場所から該当するコンテンツ情報を読み出して前記Ｗｅｂサーバーに送信する第１の送信手段と、を有することを特徴とする携帯端末。
【請求項９】
前記ＵＲＬ内の構成の一部に前記ＵＲＬに対するコンテンツ情報を保存する自携帯端末内の保存場所を示すルート指定が割り当てられることを特徴とする請求項８記載の携帯端末。
【請求項１０】
無線網を介してインターネットの接続先であるＷｅｂサーバーにアクセスしてコンテンツ情報を閲覧する携帯Ｗｅｂサーバー方法であって、
コンテンツ情報を提供する携帯端末を備え、
前記携帯端末が、前記コンテンツ情報を作成させその作成されたコンテンツ情報を保存するステップと、
前記Ｗｅｂサーバーが、前記作成されたコンテンツ情報に対するコンテンツ取得要求があった場合に前記携帯端末にコンテンツ取得要求を行うステップと、
前記携帯端末が、前記Ｗｅｂサーバーからのコンテンツ取得要求があった場合に該当するコンテンツ情報を前記Ｗｅｂサーバーに送信するステップと、
前記Ｗｅｂサーバーが、前記コンテンツ取得要求により前記携帯電話からのコンテンツ情報を受信した場合に自サーバー内に前記受信したコンテンツ情報を保存すると共にコンテンツ取得要求元の前記携帯端末に送信するステップと、を含むことを特徴とする携帯Ｗｅｂサーバー方法。
【請求項１１】
無線網を介してインターネットの接続先であるＷｅｂサーバーにアクセスしてコンテンツ情報を閲覧する携帯Ｗｅｂサーバー方法であって、
コンテンツ情報を提供する携帯端末を備え、
前記携帯端末が、前記コンテンツ情報を作成させその作成されたコンテンツ情報を自携帯端末内に保存するステップと、
前記携帯端末が、前記作成されたコンテンツ情報の登録場所をＵＲＬとして前記ＷｅｂサーバーにＵＲＬ登録申請を行うステップと、
前記Ｗｅｂサーバーが、前記携帯端末からのＵＲＬ登録申請があった場合にＵＲＬを発生させその発生したＵＲＬに対応して携帯電話番号を第２の管理テーブルに登録して前記登録したＵＲＬをＵＲＬ登録申請元の前記携帯端末に送信するステップと、
前記携帯端末が、前記Ｗｅｂサーバーから前記登録したＵＲＬを受信すると前記登録したＵＲＬと前記作成されたコンテンツ情報とを対応付けて第１の管理テーブルに保存するステップと、
前記Ｗｅｂサーバーが、前記登録したＵＲＬのコンテンツ情報のコンテンツ取得要求があった場合に前記第２の管理テーブルを基に前記登録したＵＲＬに該当する携帯電話番号を抽出しその抽出した携帯電話番号宛てにコンテンツ取得要求を行うステップと、
前記携帯端末が、前記Ｗｅｂサーバーからのコンテンツ取得要求があった場合に前記第１の管理テーブルを基に該当するコンテンツ情報の保管場所を抽出しその抽出した保管場所から該当するコンテンツ情報を読み出して前記Ｗｅｂサーバーに送信するステップと、
前記Ｗｅｂサーバーが、前記コンテンツ取得要求により前記携帯端末からのコンテンツ情報を受信した場合に前記受信したコンテンツ情報を自サーバー内に保存すると共にコンテンツ取得要求元に送信するステップと、を含むことを特徴とする携帯Ｗｅｂサーバー方法。
【請求項１２】
前記Ｗｅｂサーバーが、前記コンテンツ取得要求を行う場合に前記携帯電話番号宛の携帯端末に接続できなければ自サーバー内に保存したコンテンツ情報をコンテンツ取得要求元に送信するステップを含むことを特徴とする請求項１０または１１記載の携帯Ｗｅｂサーバー方法。
【請求項１３】
前記ＵＲＬ内の構成の一部に前記ＵＲＬに対するコンテンツ情報を保存する前記携帯端末内の保存場所を示すルート指定が割り当てられることを特徴とする請求項１１記載の携帯Ｗｅｂサーバー方法。
【請求項１４】
無線網を介してコンテンツ情報を閲覧させる手段をコンピュータに機能させるための携帯Ｗｅｂサーバー対応プログラムであって、
携帯端末から閲覧させるコンテンツ情報に対するＵＲＬ登録申請があった場合に前記携帯端末に対して前記コンテンツ情報の前記携帯端末内の保管場所情報を通知させる通知手段と、
前記通知手段により前記保管場所情報の通知があるとその保管場所情報に対応したＵＲＬを発生させその発生したＵＲＬに対応させて携帯電話番号を登録する登録手段と、
前記登録したＵＲＬのコンテンツ取得要求があった場合に前記登録手段を基に前記登録したＵＲＬに該当する携帯電話番号を抽出しその抽出した携帯電話番号宛てにコンテンツ取得要求を行う要求手段と、
前記要求手段により前記携帯電話からのコンテンツ情報を受信した場合に前記受信したコンテンツ情報を前記コンピュータ内に保存すると共にコンテンツ取得要求元に送信する第１の送信手段と、を前記コンピュータに機能させるための携帯Ｗｅｂサーバー対応プログラム。
【請求項１５】
前記要求手段において前記携帯電話番号宛の携帯端末に接続できなければ第１の送信手段で保存したコンテンツ情報を読み出してコンテンツ取得要求元に送信する第２の送信手段を前記コンピュータに機能させるための請求項１０記載の携帯Ｗｅｂサーバー対応プログラム。
【請求項１６】
前記ＵＲＬ内の構成の一部に前記ＵＲＬに対するコンテンツ情報を保存する前記携帯端末内の保存場所を示すルート指定が割り当てられることを特徴とする請求項１４記載の携帯Ｗｅｂサーバー対応プログラム。
【請求項１７】
Ｗｅｂサーバーにユーザ登録し無線網を介してコンテンツ情報を閲覧させる手段をプロセッサに機能させるための携帯Ｗｅｂサーバー対応プログラムであって、
コンテンツ情報を作成させその作成されたコンテンツ情報を保存する第１の保存手段と、
前記第１の保存手段で作成されたコンテンツ情報の登録場所をＵＲＬとして前記Ｗｅｂサーバーに登録申請することで前記登録申請したＵＲＬに対するコンテンツ情報の取得要求があった場合にそのコンテンツ取得要求を前記プロセッサ搭載の自端末宛てに行わせる申請手段と、
前記登録申請したＵＲＬと前記作成したコンテンツ情報とを対応付けて保存する第２の保存手段と、
前記Ｗｅｂサーバーから前記保存したＵＲＬに対するコンテンツ取得要求があった場合に前記第２の保存手段を基に該当するコンテンツ情報の保管場所を抽出しその抽出した保管場所から該当するコンテンツ情報を読み出して前記Ｗｅｂサーバーに送信する第１の送信手段と、を前記プロセッサに機能させるための携帯Ｗｅｂサーバー対応プログラム。
【請求項１８】
前記ＵＲＬ内の構成の一部に前記ＵＲＬに対するコンテンツ情報を保存する前記プロセッサ搭載の自端末内の保存場所を示すルート指定が割り当てられることを特徴とする請求項１７記載の携帯Ｗｅｂサーバー対応プログラム。
【発明の詳細な説明】
【技術分野】
【０００１】
本発明は、携帯Ｗｅｂサーバー方式およびその方法、Ｗｅｂサーバー、携帯端末、並びに携帯Ｗｅｂサーバー対応プログラムに関し、特に、Ｗｅｂサーバーと無線網を介して通信を行う携帯端末がコンテンツ情報を作成した場合のＷｅｂサーバー、携帯端末、並びに携帯Ｗｅｂサーバー対応プログラムに関する。
【背景技術】
【０００２】
従来、携帯端末向けＷｅｂページの提供および閲覧方法として、例えば、特開２００２−１６３３８３号公報に開示されている。すなわち、会員３は、パソコンを使用してモバイル端末向け簡易Ｗｅｂページおよびそのコンテンツを作成し、管理機関（Ｗｅｂサーバー）のデータベースに格納する。顧客１は、モバイル端末を使ってインターネット経由で会員３が作成したモバイル端末向けＷｅｂページを閲覧する。
【０００３】
また、従来、携帯端末向けＷｅｂページの提供および閲覧方法として、例えば、特開２００２−２４４９５６号公報に開示されている。この特開２００２−２４４９５６号公報には、Ｗｅｂ機能を搭載した移動機１に外部への閲覧用のコンテンツを格納しておき、ブラウザ機能搭載の移動機３が直接移動通信システム網を介して移動機１に対してコンテンツの要求を行うと、移動機１は要求に応じて、移動通信システム網を介して、移動機１自身がキャッシュに所有するコンテンツを要求元の移動機３に提供する技術が記載されている。
【０００４】
また、特開２００２−２４４９５６号公報には、コンテンツを保存するキャッシュを設備として移動通信網の内部に設け、そのキャッシュ設備がＷｅｂ機能搭載の移動機１のコンテンツの更新の状態を定期的に確認し、更新されたコンテンツをキャッシングする技術が記載されている。
【０００５】
また、特開２００２−２４４９５６号公報には、コンテンツを保存するキャッシュを設備として移動通信網の内部に設け、Ｗｅｂ機能搭載の移動機１自身が、コンテンツ更新時に、キャッシュの内容の書き換え要求をキャッシュ設備に送信し、キャッシュ設備にてキャッシングされるコンテンツの内容を更新する技術が記載されている。
【０００６】
【特許文献１】特開２００２−１６３３８３号公報（段落番号００１６〜００２０、図１）
【０００７】
【特許文献２】特開２００２−２４４９５６号公報（段落番号００３４，００３５，００４７，００４９，００５０，および図）
【発明の開示】
【発明が解決しようとする課題】
【０００８】
しかしながら、従来技術である特開２００２―１６３３８３号公報によれば、Ｗｅｂサーバーに登録するＷｅｂページを作成するには、パソコン等が必要であり、移動を盛んに行う情報提供者は、パソコンの利用ができないため、軽量でかつ持ち運びが便利な携帯電話機を使用して簡単にＷｅｂページを作成することはできないという問題点がある。
【０００９】
また、従来技術である２００２―２４４９５６号公報によれば、コンテンツを提供する移動機は、Ｗｅｂサーバーが搭載しているＷｅｂ機能をサポートしたプログラムを搭載しなければならないため、移動機のメモリが大幅に増えるという問題点があり、更に廉価を重視するならば、通常使用する携帯電話機と独立にＷｅｂサポート専用の携帯端末を準備しなければならないという問題点がある。
【００１０】
また、従来技術である２００２号―２４４９５６公報によれば、移動通信システム網の内部にコンテンツのためのキャッシュを設備として設け、そのキャッシュ設備が定期的にコンテンツの更新の状態を確認しているため、各移動通信システム網にあたるＷｅｂ機能搭載の移動機の現在位置にあたるそれぞれの交換機は、Ｗｅｂ機能搭載の移動機に接続要求があった場合にコンテンツの履歴がどうなっているかを知る必要があり、位置の変動する移動機のコンテンツの履歴まで管理しなければならないという問題点がある。
【００１１】
また、特開２００２−２４４９５６号公報によれば、コンテンツを保存するキャッシュを設備として移動通信網の内部に設け、Ｗｅｂ機能搭載の移動機自身が、コンテンツ更新時に、キャッシュの内容の書き換え要求をキャッシュ設備に送信しているため、頻繁にコンテンツの内容を更新するＷｅｂ搭載の移動機の場合には、ブラウザ搭載の移動機からのコンテンツ要求がなくても、コンテンツ更新毎にキャッシュ設備に接続して書き換えを行うこととなり、余分な通信費用が発生するという問題点がある。
【００１２】
本発明の目的は、上記問題点を鑑み、携帯端末にＷｅｂ機能を持たせることなく、コンテンツ作成者は、手軽にコンテンツを携帯端末上で作成することにある。
【００１３】
また、本発明の他の目的は、上記問題点を鑑み、コンテンツを登録するＷｅｂサーバーを設け、携帯端末は、携帯端末上で作成されたコンテンツをＷｅｂサーバーへ明示的に更新する必要がなく、必要時に応じてＷｅｂサーバーのコンテンツを更新させることにある。
【課題を解決するための手段】
【００１４】
本発明の第１の携帯Ｗｅｂサーバー方式は、無線網を介してインターネットの接続先であるＷｅｂサーバーにアクセスしてコンテンツ情報を閲覧する携帯Ｗｅｂサーバー方式であって、コンテンツ情報を提供する携帯端末を備え、前記携帯端末は、前記コンテンツ情報を作成させその作成されたコンテンツ情報を保存する保存手段と、前記Ｗｅｂサーバーからのコンテンツ取得要求があった場合に該当するコンテンツ情報を前記Ｗｅｂサーバーに送信する第１の送信手段と、を有し、前記Ｗｅｂサーバーは、前記作成されたコンテンツ情報に対するコンテンツ取得要求があった場合に前記携帯端末にコンテンツ取得要求を行う要求手段と、前記要求手段により前記携帯電話からのコンテンツ情報を受信した場合に自サーバー内に前記受信したコンテンツ情報を保存すると共にコンテンツ取得要求元の前記携帯端末に送信する第２の送信手段と、を有することを特徴としている。
【００１５】
本発明の第２の携帯Ｗｅｂサーバー方式は、無線網を介してインターネットの接続先であるＷｅｂサーバーにアクセスしてコンテンツ情報を閲覧する携帯Ｗｅｂサーバー方式であって、コンテンツ情報を提供する携帯端末を備え、前記携帯端末は、前記コンテンツ情報を作成させその作成されたコンテンツ情報を保存する第１の保存手段と、前記第１の保存手段で作成されたコンテンツ情報の登録場所をＵＲＬとして前記ＷｅｂサーバーにＵＲＬ登録申請を行う申請手段と、前記登録申請したＵＲＬと前記作成されたコンテンツ情報とを対応付けて自携帯端末内に保存する第２の保存手段と、前記Ｗｅｂサーバーから前記保存したＵＲＬに対するコンテンツ取得要求があった場合に前記第２の保存手段を基に該当するコンテンツ情報の保管場所を抽出しその抽出した保管場所から該当するコンテンツ情報を読み出して前記Ｗｅｂサーバーに送信する第１の送信手段と、を有し、前記Ｗｅｂサーバーは、前記申請手段により前記携帯端末からのＵＲＬ登録申請があった場合にＵＲＬに対応して携帯電話番号を登録する登録手段と、前記登録したＵＲＬに対するコンテンツ取得要求があった場合に前記登録手段を基に前記登録したＵＲＬに該当する携帯電話番号を抽出しその抽出した携帯電話番号宛てにコンテンツ取得要求を行う要求手段と、前記要求手段により前記携帯端末からのコンテンツ情報を受信した場合に前記受信したコンテンツ情報を自サーバー内に保存すると共にコンテンツ取得要求元に送信する第２の送信手段と、を有することを特徴としている。
【００１６】
更に、上記の第１または第２の携帯Ｗｅｂサーバー方式において、前記要求手段において前記携帯電話番号宛の携帯端末に接続できなければ前記第２の送信手段で保存したコンテンツ情報をコンテンツ取得要求元に送信する第３の送信手段を有することを特徴としている。
【００１７】
更に、上記の第２の携帯Ｗｅｂサーバー方式において、前記ＵＲＬ内の構成の一部に前記ＵＲＬに対するコンテンツ情報を保存する前記携帯端末内の保存場所を示すルート指定が割り当てられることを特徴としている。
【００１８】
また、本発明のＷｅｂサーバーは、無線網を介してコンテンツ情報を閲覧させるＷｅｂサーバーであって、携帯端末から閲覧させるコンテンツ情報に対するＵＲＬ登録申請があった場合に前記携帯端末に対して前記コンテンツ情報の前記携帯端末内の保管場所情報を通知させる通知手段と、前記通知手段により前記保管場所情報の通知があるとその保管場所情報に対応したＵＲＬを発生させその発生したＵＲＬに対応して携帯電話番号を登録する登録手段と、前記ＵＲＬのコンテンツ情報のコンテンツ取得要求があった場合に前記登録手段を基に前記ＵＲＬに該当する携帯電話番号を抽出しその抽出した携帯電話番号宛てにコンテンツ取得要求を行う要求手段と、前記要求手段により前記携帯電話からのコンテンツ情報を受信した場合に前記受信したコンテンツ情報を自サーバー内に保存すると共にコンテンツ取得要求元に送信する第１の送信手段と、を有することを特徴としている。
【００１９】
更に、上記のＷｅｂサーバーにおいて、前記要求手段において前記携帯電話番号宛の携帯端末に接続できなければ前記第１の送信手段で保存したコンテンツ情報を読み出してコンテンツ取得要求元に送信する第２の送信手段を有することを特徴としている。
【００２０】
更に、上記の携帯Ｗｅｂサーバーにおいて、前記ＵＲＬ内の構成の一部に前記ＵＲＬに対するコンテンツ情報を保存する前記携帯端末内の保存場所を示すルート指定が割り当てられることを特徴としている。
【００２１】
また、本発明の携帯端末は、Ｗｅｂサーバーにユーザ登録し無線網を介してコンテンツ情報を閲覧させる携帯端末であって、コンテンツ情報を作成させその作成されたコンテンツ情報を保存する第１の保存手段と、前記第１の保存手段で作成されたコンテンツ情報の登録場所をＵＲＬとして前記Ｗｅｂサーバーに登録申請することで前記登録申請したＵＲＬに対するコンテンツ情報の取得要求があった場合にそのコンテンツ取得要求を自携帯端末宛てに行わせる申請手段と、前記登録申請したＵＲＬと前記作成したコンテンツ情報とを対応付けて自携帯端末内に保存する第２の保存手段と、前記Ｗｅｂサーバーから前記保存したＵＲＬに対するコンテンツ取得要求があった場合に前記第２の保存手段を基に該当するコンテンツ情報の保管場所を抽出しその抽出した保管場所から該当するコンテンツ情報を読み出して前記Ｗｅｂサーバーに送信する第１の送信手段と、を有することを特徴としている。
【００２２】
更に、上記の携帯端末において、前記ＵＲＬ内の構成の一部に前記ＵＲＬに対するコンテンツ情報を保存する自携帯端末内の保存場所を示すルート指定が割り当てられることを特徴としている。
【００２３】
また、本発明の第１の携帯Ｗｅｂサーバー方法は、無線網を介してインターネットの接続先であるＷｅｂサーバーにアクセスしてコンテンツ情報を閲覧する携帯Ｗｅｂサーバー方法であって、コンテンツ情報を提供する携帯端末を備え、前記携帯端末が、前記コンテンツ情報を作成させその作成されたコンテンツ情報を保存するステップと、前記Ｗｅｂサーバーが、前記作成されたコンテンツ情報に対するコンテンツ取得要求があった場合に前記携帯端末にコンテンツ取得要求を行うステップと、前記携帯端末が、前記Ｗｅｂサーバーからのコンテンツ取得要求があった場合に該当するコンテンツ情報を前記Ｗｅｂサーバーに送信するステップと、前記Ｗｅｂサーバーが、前記コンテンツ取得要求により前記携帯電話からのコンテンツ情報を受信した場合に自サーバー内に前記受信したコンテンツ情報を保存すると共にコンテンツ取得要求元の前記携帯端末に送信するステップと、を含むことを特徴としている。
【００２４】
また、本発明の第２の携帯Ｗｅｂサーバー方法は、無線網を介してインターネットの接続先であるＷｅｂサーバーにアクセスしてコンテンツ情報を閲覧する携帯Ｗｅｂサーバー方法であって、コンテンツ情報を提供する携帯端末を備え、前記携帯端末が、前記コンテンツ情報を作成させその作成されたコンテンツ情報を自携帯端末内に保存するステップと、前記携帯端末が、前記作成されたコンテンツ情報の登録場所をＵＲＬとして前記ＷｅｂサーバーにＵＲＬ登録申請を行うステップと、前記Ｗｅｂサーバーが、前記携帯端末からのＵＲＬ登録申請があった場合にＵＲＬを発生させその発生したＵＲＬに対応して携帯電話番号を第２の管理テーブルに登録して前記登録したＵＲＬをＵＲＬ登録申請元の前記携帯端末に送信するステップと、前記携帯端末が、前記Ｗｅｂサーバーから前記登録したＵＲＬを受信すると前記登録したＵＲＬと前記作成されたコンテンツ情報とを対応付けて第１の管理テーブルに保存するステップと、前記Ｗｅｂサーバーが、前記登録したＵＲＬのコンテンツ情報のコンテンツ取得要求があった場合に前記第２の管理テーブルを基に前記登録したＵＲＬに該当する携帯電話番号を抽出しその抽出した携帯電話番号宛てにコンテンツ取得要求を行うステップと、前記携帯端末が、前記Ｗｅｂサーバーからのコンテンツ取得要求があった場合に前記第１の管理テーブルを基に該当するコンテンツ情報の保管場所を抽出しその抽出した保管場所から該当するコンテンツ情報を読み出して前記Ｗｅｂサーバーに送信するステップと、前記Ｗｅｂサーバーが、前記コンテンツ取得要求により前記携帯端末からのコンテンツ情報を受信した場合に前記受信したコンテンツ情報を自サーバー内に保存すると共にコンテンツ取得要求元に送信するステップと、を含むことを特徴としている。
【００２５】
更に、上記の第１または第２の携帯Ｗｅｂサーバー方法において、前記Ｗｅｂサーバーが、前記コンテンツ取得要求を行う場合に前記携帯電話番号宛の携帯端末に接続できなければ自サーバー内に保存したコンテンツ情報をコンテンツ取得要求元に送信するステップを含むことを特徴としている。
【００２６】
更に、上記の第２の携帯Ｗｅｂサーバー方法において、前記ＵＲＬ内の構成の一部に前記ＵＲＬに対するコンテンツ情報を保存する前記携帯端末内の保存場所を示すルート指定が割り当てられることを特徴としている。
【００２７】
また、本発明の携帯Ｗｅｂサーバー対応プログラムは、無線網を介してコンテンツ情報を閲覧させる手段をコンピュータに機能させるための携帯Ｗｅｂサーバー対応プログラムであって、携帯端末から閲覧させるコンテンツ情報に対するＵＲＬ登録申請があった場合に前記携帯端末に対して前記コンテンツ情報の前記携帯端末内の保管場所情報を通知させる通知手段と、前記通知手段により前記保管場所情報の通知があるとその保管場所情報に対応したＵＲＬを発生させその発生したＵＲＬに対応させて携帯電話番号を登録する登録手段と、前記登録したＵＲＬのコンテンツ取得要求があった場合に前記登録手段を基に前記登録したＵＲＬに該当する携帯電話番号を抽出しその抽出した携帯電話番号宛てにコンテンツ取得要求を行う要求手段と、前記要求手段により前記携帯電話からのコンテンツ情報を受信した場合に前記受信したコンテンツ情報を前記コンピュータ内に保存すると共にコンテンツ取得要求元に送信する第１の送信手段と、を前記コンピュータに機能させる。
【００２８】
更に、上記の第１の携帯Ｗｅｂサーバー対応プログラムにおいて、前記要求手段において前記携帯電話番号宛の携帯端末に接続できなければ前記第１の送信手段で保存したコンテンツ情報を読み出してコンテンツ取得要求元に送信する第２の送信手段を前記コンピュータに機能させる。
【００２９】
更に、上記の第１の携帯Ｗｅｂサーバー対応プログラムにおいて、前記ＵＲＬ内の構成の一部に前記ＵＲＬに対するコンテンツ情報を保存する前記携帯端末内の保存場所を示すルート指定が割り当てられることを特徴としている。
【００３０】
また、本発明の第２の携帯Ｗｅｂサーバー対応プログラムは、Ｗｅｂサーバーにユーザ登録し無線網を介してコンテンツ情報を閲覧させる手段をプロセッサに機能させるための携帯Ｗｅｂサーバー対応プログラムであって、コンテンツ情報を作成させその作成されたコンテンツ情報を保存する第１の保存手段と、前記第１の保存手段で作成されたコンテンツ情報の登録場所をＵＲＬとして前記Ｗｅｂサーバーに登録申請することで前記登録申請したＵＲＬに対するコンテンツ情報の取得要求があった場合にそのコンテンツ取得要求を前記プロセッサ搭載の自端末宛てに行わせる申請手段と、前記登録申請したＵＲＬと前記作成したコンテンツ情報とを対応付けて保存する第２の保存手段と、前記Ｗｅｂサーバーから前記保存したＵＲＬに対するコンテンツ取得要求があった場合に前記第２の保存手段を基に該当するコンテンツ情報の保管場所を抽出しその抽出した保管場所から該当するコンテンツ情報を読み出して前記Ｗｅｂサーバーに送信する第１の送信手段と、を前記プロセッサに機能させる。
【００３１】
更に、上記の第２の携帯Ｗｅｂサーバー対応プログラムにおいて、前記ＵＲＬ内の構成の一部に前記ＵＲＬに対するコンテンツ情報を保存する前記プロセッサ搭載の自端末内の保存場所を示すルート指定が割り当てられることを特徴としている。
【発明の効果】
【００３２】
第１の効果は、コンテンツ作成者が手軽にコンテンツを作成できることである。その理由は、Ｗｅｂ機能を持たない携帯端末上でコンテンツ作成環境を実現するからである。
【００３３】
第２の効果は、コンテンツ作成者がコンテンツのアップデートを行う必要がないことである。その理由は、Ｗｅｂサーバーがコンテンツ作成の携帯端末に対してコンテンツ取得を行い、Ｗｅｂサーバー上のコンテンツを自動更新するからである。
【発明を実施するための最良の形態】
【００３４】
次に、本発明を実施するための最良の形態について図面を参照して詳細に説明する。
【００３５】
図１を参照すると、本発明の実施の形態におけるシステム全体の構成を示すブロック図であって、このシステムは、コンテンツの情報提供者の携帯電話機である複数の携帯電話機１０と、コンテンツ閲覧者の携帯電話機である複数の携帯電話機５０と、携帯電話機１０の使用者と携帯電話機５０の使用者と契約している無線通信事業者（例えば、ＮＴＴドコモ）が管理している管理センター２０と、コンテンツを提供するＷｅｂサーバー３０と、Ｗｅｂサーバー３０に接続されているデータベース４０と、管理センター２０と携帯電話機１０，５０とを接続する無線網９０１と、Ｗｅｂサーバー３０と管理センター２０とを接続するインターネット９０２とから構成される。なお、説明の都合上、携帯電話機１０と携帯電話機５０とを分けたが、携帯電話機１０と携帯電話機５０は、同じ機能を持っている。
【００３６】
管理センター２０には、携帯電話機１０，５０からのインターネット接続要求（管理センター２０から携帯電話機１０，５０へのメニュー配信によるサイトの接続要求も含む）によるＷｅｂサーバー３０への接続を行う図示していない管理サーバーと、Ｗｅｂサーバー３０からの接続要求により携帯電話機１０への接続を行う図示していない接続サーバーとを有している。なお、管理サーバーおよび接続サーバーは、無線網９０１を接続する無線部とＩＰプロトコルにより通信のできるインタフェース部とを搭載し、プロセッサ（ＣＰＵ）によりプログラム制御で動作するサーバー、ワークステーション等の情報処理装置である。
【００３７】
携帯電話機１０は、図示していないプロセッサ（ＣＰＵ）によりプログラム制御で動作する制御部１１と、無線網９０１とデータのやり取りを行う無線部１２と、データ等を入力する操作部１３と、データ等を表示するＬＣＤである表示部１４と、ＵＲＬ管理テーブル、コンテンツ情報、画面情報等を格納するメモリである記憶部１５と、各種プログラムを格納するプログラム格納部１６とから構成される。この場合の記憶部１５のメモリは、揮発性のメモリ（例えば、電池でバックアップしたＲＡＭ）であっても、不揮発性のメモリ（例えば、フラッシュメモリ）であっても良い。
【００３８】
プログラム格納部１６は、図示していない不揮発性のメモリ（例えば、フラッシュメモリ）内のエリアに割り当てられており、このプログラム格納部１６に格納された各種プログラムを制御部１１が実行する。各種プログラムには、図４〜図６のフローチャートで示す動作をプロセッサ（ＣＰＵ）に実行させる携帯Ｗｅｂサーバー対応プログラムを含んでいる。なお、この携帯Ｗｅｂサーバー対応プログラムをフロッピー（登録商標）ディスク、ＣＤ、ＤＶＤ等の媒体に格納しておき、その媒体を図示していない媒体装置［例えば、フロッピー（登録商標）ディスク装置、ＣＤ装置、ＤＶＤ装置等］を利用して図示していないインタフェース（例えば、ＵＳＢ）を介してプログラム格納部１６にインストール、または無線部１２を介して他装置からプログラム格納部１６にロードするようにしても良い。
【００３９】
Ｗｅｂサーバー３０は、コンテンツプロバイダ（ＣＰ）により準備され、図示していないプロセッサ（ＣＰＵ）によりプログラム制御で動作する制御部３１と、インターネット９０２とデータのやり取りを行うインタフェース部３２と、各種プログラムを格納するプログラム格納部３３とから構成される。なお、Ｗｅｂサーバー３０は、図９の例で示すＵＲＬ（Ｕｎｉｆｏｒｍ  Ｒｅｓｏｕｒｃｅ  Ｌｏｃａｔｏｒ）の構成でアクセスされるように、Ｗｅｂサーバーのドメインアドレス（サーバー名）がシステム構築時に割り当てられている。
【００４０】
プログラム格納部３３は、図示していない記憶部（例えば、磁気ディスク）内のエリアに割り当てられており、このプログラム格納部３３に格納された各種プログラムを制御部３１が図示していないＲＡＭ上に展開し、実行する。各種プログラムには、図４および図７のフローチャートで示す動作をプロセッサ（ＣＰＵ）に実行させる携帯Ｗｅｂサーバー対応プログラムを含んでいる。なお、この携帯Ｗｅｂサーバー対応プログラムをフロッピー（登録商標）ディスク、ＣＤ、ＤＶＤ等の媒体に格納しておき、その媒体を図示していない媒体装置［フロッピー（登録商標）ディスク装置、ＣＤ装置、ＤＶＤ装置等］を利用して図示していないインタフェース（例えば、ＵＳＢ）を介してプログラム格納部３３にインストールまたはインタフェース部３０を介して他装置からプログラム格納部３３にロードするようにしても良い。従って、プロセッサ（ＣＰＵ）によりプログラム制御で動作するコンピュータにこの携帯Ｗｅｂサーバー対応プログラムを実行させることでＷｅｂサーバー３０となる。
【００４１】
データベース４０は、コンテンツプロバイダにより準備され、図示していない記憶媒体装置（例えば、磁気ディスク）内に割り当てられている。このデータベース４０には、ＵＲＬ管理テーブル４１と、ユーザ情報データベース４２と、コンテンツデータベース４３と、画面情報データベース４４との各エリアが割り当てられている。
【００４２】
ＵＲＬ管理テーブル４１は、図２に示すように、Ｗｅｂサーバー３０内のコンテンツの保管場所を示すディレクトリ名毎に、コンテンツのファイル名、コンテンツの情報提供者のユーザＩＤ、およびコンテンツの情報提供者の携帯電話機１０の電話番号が登録されている。なお、この場合のＵＲＬ管理テーブル４１内の保管場所のディレクトリ名、ファイル名は、図９のディレクトリ名、ファイル名にそれぞれ該当する。なお、ＵＲＬ管理テーブル４１内に登録されるファイル名は、トップ（ホームページ）のファイル名であって、ＵＲＬにリンクされているファイル名は登録されない。すなわち、このＵＲＬ管理テーブル４１には、ＵＲＬに対応した携帯電話番号が登録されていることになる。
【００４３】
ユーザ情報データベース４２には、コンテンツの情報提供者であるユーザと契約したユーザのユーザ情報がユーザＩＤ毎に登録されている。このユーザ情報には、ユーザＩＤ毎に、ユーザ名、パスワード、携帯電話機の電話番号、住所等が含まれる。
【００４４】
コンテンツデータベース４３には、ディレクトリ名毎に情報提供者のコンテンツ情報が登録されている。この場合、携帯電話機１０で作成したコンテンツ情報がこのコンテンツデータベース４３に格納されることになる。
【００４５】
次に、本発明の実施の形態の動作の概要について説明する。この場合の携帯電話機５０がコンテンツを閲覧する手順を、図７を用いて説明する。
【００４６】
図１の携帯電話機５０のＭＳ−Ａがコンテンツを閲覧するＭＳ（Ｍｏｖｉｎｇ  Ｓｔａｔｉｏｎ：移動局）とし、携帯電話機１０のＭＳ−Ｂがコンテンツを作成するＭＳとする。また、ＭＳ−Ｂはあらかじめコンテンツを作成しているものとする（但し、Ｗｅｂサーバー３０に作成したコンテンツを保存しておく必要はない）。ＭＳ−Ａは、Ｗｅｂサーバー３０に対してコンテンツ取得要求を行う。要求を受けたＷｅｂサーバー３０は、コンテンツの作成者であるＭＳ−Ｂへコンテンツ取得の要求を行う。Ｗｅｂサーバー３０とＭＳ−Ｂとの通信が可能な状態であれば、ＭＳ−Ｂから該当コンテンツを取得し、Ｗｅｂサーバー３０のコンテンツデータベース４３のデータ格納エリアにコンテンツを保存した後、ＭＳ−Ａに対してコンテンツを返す。逆に、Ｗｅｂサーバー３０とＭＳ−Ｂとの通信が可能でない場合は、Ｗｅｂサーバー３０のコンテンツデータベース４３からコンテンツを取得し、ＭＳ−Ａに対してコンテンツを返す。
【００４７】
コンテンツ作成者は、携帯電話機１０の画面上でコンテンツを作成するだけで、コンテンツ閲覧者がコンテンツ取得の要求をＷｅｂサーバー３０へ送信した際にＷｅｂサーバー３０がコンテンツ作成者の携帯電話に対してコンテンツ取得を行うため、コンテンツ作成者はＷｅｂサーバー３０へ明示的にアップデートさせる必要はなく、手軽にコンテンツを作成できるようになる。
【００４８】
次に、本発明を実施するための最良の形態の動作について図面を参照して説明する。
【００４９】
携帯電話機１０の保有者でありかつコンテンツ情報の情報提供者（コンテンツ作成者）は、Ｗｅｂサーバー３０を管理している事業者とあらかじめユーザ登録しているものとする。この場合の登録方法として、例えば、携帯電話機１０の制御部１１は、操作部１３から入力されたＷｅｂサーバー３０のＵＲＬに基づいて、無線部１２、無線網９０１を介して、管理センター２０の管理サーバーに接続し、その管理センター２０の管理サーバーを介してＷｅｂサーバー３０と接続し、提供者の操作部１３による操作の基でユーザ登録を行う。この場合、Ｗｅｂサーバー３０は、ユーザＩＤとパスワードと携帯電話機１０の電話番号とを含むユーザ情報をユーザ情報データベース４２に登録する。ユーザ登録を行うと、携帯電話機１０の制御部１１は、記憶部１５内（例えば、ＵＲＬを操作部１３から入力させないために準備したＵＲＬ登録一覧表であるブックマーク）にＷｅｂサーバー３０のホームページアドレスであるＵＲＬを保存する。
【００５０】
このような環境の基で、コンテンツの情報提供者が携帯電話機１０を用いて、コンテンツ情報を公開するためにコンテンツを新規作成することにする。今、情報提供者は、操作部１３により、携帯電話機１０の制御部１１が表示部１４に表示したサービスメニュー画面から「コンテンツ作成」を選択すると、制御部１１は、コンテンツ作成プログラムを実行し、表示部１４上でマンツーマシーンインタフェースに従ってコンテンツの作成を行う。（図５のステップＳ３０１）。
情報提供者は作成が終わり、新規として保存したい場合、画面上に従って、例えば、「新規登録」を選択すると、制御部１１は、記憶部１５から保管場所設定画面情報を読み出し、表示部１４に表示することで、保管場所（自機内のディレクトリ名によるルート指定）を入力させる。情報提供者が保管場所を入力すると、制御部１１は、記憶部１５内に設定した保管場所にコンテンツ情報を保存する。更に、制御部１１は、記憶部１５からＵＲＬの登録申請の有無の確認を示すＵＲＬ申請確認画面情報を読み出し、ＵＲＬ申請画面を表示部１４に表示する。情報提供者が「申請しない」を選択すれば、制御部は、そのまま終了する。（ステップＳ３０２〜Ｓ３０７）。
【００５１】
ステップＳ３０７において、情報提供者が「申請する」を選択すると、ＵＲＬ登録申請処理を行い終了する。この場合のＵＲＬの登録申請処理については、図４で示すステップＳ１０１からステップＳ１０８の処理と同じになるので、ここでは説明を省略する（以降で説明）。（図５のステップＳ１００）。
【００５２】
次にコンテンツ情報を提供するためにその保存先となるＵＲＬの申請をＷｅｂサーバー３０に対して行う処理について説明する。
【００５３】
ＵＲＬの登録申請を行うために、情報提供者が携帯電話機１０の画面上からＷｅｂサーバーのＵＲＬを入力すると、無線部１２，無線網９０１，管理センター２０の管理サーバー，およびインターネット９０２を介して、Ｗｅｂサーバー３０にアクセスする。アクセスすることで、Ｗｅｂサーバー３０と携帯電話機１０との間で通信パスが張られる。接続されると、Ｗｅｂサーバー３０の制御部３１は、メニュー画面情報を画面情報データベース４４から読み出して、申請元の携帯電話機１０に送信する。（図４のステップＳ１０１，Ｓ２０１）。
【００５４】
無線部１２を介してＷｅｂサーバー３０からのメニュー画面情報を受信した携帯電話機１０の制御部１１は、メニュー画面を表示部１４に表示することで、「ＵＲＬ申請」等を含む項目の選択を促す。情報提供者が画面上から「ＵＲＬ申請」を選択すると、制御部１１は、「ＵＲＬ申請」を選択した旨をＷｅｂサーバー３０に送信する。Ｗｅｂサーバー３０の制御部３１は、「ＵＲＬ申請」を知ると、画面情報データベース４４から認証画面情報を読み出して携帯電話機１０に送信する。（ステップＳ１０２，Ｓ１０３，Ｓ２０２）。
【００５５】
無線部１２を介してＷｅｂサーバー３０からの認証画面情報を受信した携帯電話機１０の制御部１１は、認証画面を表示部１４に表示することで、ユーザＩＤおよびパスワードの入力を促す。情報提供者が認証画面に従ってユーザＩＤおよびパスワードを入力すると、制御部１１は、無線部１２を介してユーザＩＤとパスワードとをＷｅｂサーバー３０に送信する。Ｗｅｂサーバー３０の制御部３１は、インタフェース部３２を介してユーザＩＤとパスワードとを受信すると、受信したユーザＩＤとパスワードとがユーザ情報データベース４２に登録されているユーザＩＤとパスワードとに一致するものがあるかを検証し、一致するものがあると、画面情報データベース４４から保管場所登録画面情報を読み出して送信する。（ステップＳ１０４，Ｓ１０５，Ｓ２０３，Ｓ２０４，Ｓ２０５）。
【００５６】
制御部１１は、無線部１２を介してＷｅｂサーバー３０から保管場所登録画面情報を受信すると、保管場所登録画面を表示部１４に表示する。情報提供者が、コンテンツが格納されている携帯電話機１０の電話番号とその保管場所（携帯電話機１０内のディレクトリ名によるルート指定）とファイル名（トップのファイル名でこのファイル名にリンクされるファイル名は含まない）、およびユーザＩＤを含む保管場所情報を入力すると、保管場所情報をＷｅｂサーバー３０に送信する。Ｗｅｂサーバー３０の制御部３１は、保管場所情報を受信すると、ＵＲＬ管理テーブル４１内で、通信先の携帯電話機１０の情報提供者のユーザＩＤに該当するメインディレクトリ名のエリアに、保管場所情報を登録する。すなわち、制御部３１は、すでに登録してあるメインディレクトリ名欄の他に、受信したディレクトリ名（階層になっていればそのディレクトリ名全部すなわちルート指定）をサブディレクトリ名欄に、受信したファイル名をファイル名欄に、受信したユーザＩＤをユーザＩＤ欄に、受信した電話番号を電話番号欄に、それぞれ登録する。この場合、ディレクトリ名（メインディレクトリ名、サブディレクトリ名）とファイル名とユーザＩＤと電話番号とを１レコードとして、制御部３１がＵＲＬ管理テーブル４１に登録しても良いし、更に、ＵＲＬ管理テーブル４１内にプロトコル名、サーバー名も一緒に登録して管理しても良い。結局、Ｗｅｂサーバー３０の制御部３１は、ＵＲＬ管理テーブル４１を用いてＵＲＬ毎にコンテンツ情報を保存している携帯電話機１０の電話番号を管理していることになる。（ステップＳ１０６，Ｓ１０７，Ｓ２０６）。特に、ステップＳ２０６においては、携帯電話機１０の記憶部１５に保存しているコンテンツの保管場所をルート指定でＵＲＬに盛り込んだ形となるため、Ｗｅｂサーバー３０がコンテンツの取得を行う場合、携帯電話機１０がＵＲＬから容易にコンテンツ情報の保管場所を検出することができる。
【００５７】
このようにして、保管場所情報を登録すると、Ｗｅｂサーバー３０の制御部３１は、申請元の携帯電話機１０に対して、受信したコンテンツの保存場所として、図９に示すようなＵＲＬの構成に編集してその編集したＵＲＬを送信する。すると、携帯電話機１０の制御部１１は、保管場所であるＵＲＬを受信すると、記憶部１５に受信したＵＲＬと作成したコンテンツ情報の保管場所とを対応づけて記憶部１５内に保存し、終了する。すなわち、制御部１１は、記憶部１５内に割り付けられているＵＲＬ管理テーブル内のＵＲＬ欄に受信したＵＲＬを、保管場所欄にコンテンツ情報を保存している携帯電話機１０内の保管場所のルート（ディレクトリ）を、それぞれ登録する。（ステップＳ２０７，Ｓ１０８）。
【００５８】
次に既にＷｅｂサーバー３０に登録されているコンテンツを更新する場合について説明する。
【００５９】
サービスメニュー画面に従って、制御部１１がコンテンツ作成処理を受け付けると、制御部１１は、更新すべきＵＲＬに該当するコンテンツ情報を読み出し、情報提供者に表示部１４上の画面上でコンテンツ情報の編集処理をさせる。（図５のステップＳ３０１）。
【００６０】
やがて、情報提供者が編集処理が終了し、更新したコンテンツ情報を保存するために、画面上に従って、例えば、「更新」を選択すると、制御部１１は、携帯電話機１０の制御部１１は、記憶部１５に上書きをして終了する（該当するＵＲＬのコンテンツ情報をリプレースする）。すなわち、この時点では、制御部１１は、Ｗｅｂサーバー３０が管理しているコンテンツデータベース４３に登録してあるコンテンツ情報を更新しないで、記憶部１５内の更新のために読み出した格納されているコンテンツ情報を更新することになる。（図５のステップＳ３０２，Ｓ３０３，Ｓ３０８，図８のシーケンスＡ１０１）。
【００６１】
次にコンテンツ閲覧側の携帯電話機５０からコンテンツ取得要求が発生した場合の動作について説明する。
【００６２】
上記のように携帯電話機１０にコンテンツ情報が登録されているような状態で、コンテンツ閲覧側の携帯電話機５０からコンテンツ取得要求が発生すると、携帯電話機１０からコンテンツ取得要求（ＨＴＴＰ  Ｒｅｑｕｅｓｔ）を受信したＷｅｂサーバー３０の制御部３１は、受信要求のあったＵＲＬからディレクトリ名を抽出し、そのディレクトリ名をキーとしてＵＲＬ管理テーブル４１を検索し、該当する電話番号を抽出する。この場合、ＵＲＬ管理テーブル４１にはディレクトリおよび電話番号が登録されているので、制御部１１は、電話番号を抽出する。抽出した電話番号であるコンテンツ作成者の携帯電話機１０にコンテンツ取得要求（要求のあったＵＲＬを添付）を行うと、中継を行う管理センター２０の接続サーバーが無線網９０１を介して携帯電話機１０の呼び出しを行って接続できる状態であれば（携帯電話機１０の電源が入っており電波の届くエリアにいる場合）、携帯電話機１０に接続し、更に管理センター２０の接続サーバーはコンテンツの取得要求を携帯電話機１０に対して行う。すなわち、Ｗｅｂサーバー３０は、携帯電話機５０からのコンテンツ取得要求に対して、携帯電話機１０に対してコンテンツ取得要求を行ったことになる。（シーケンスＡ１０２，Ａ１０３，図８のステップＳ５０３〜Ｓ５０７）。
【００６３】
無線部１２を介してコンテンツ取得要求を受信した携帯電話機１０の制御部１１は、添付されているＵＲＬをキーとして該当するコンテンツ情報の保管場所を記憶部１５内のＵＲＬ管理テーブルから抽出し、抽出した保管場所からコンテンツ情報を読み出し、読み出したコンテンツ情報をＷｅｂサーバー３０に送信する。（シーケンスＡ１０４，図６のステップＳ４０１，Ｓ４０２）。
【００６４】
インタフェース部３２を介して携帯電話機１０からコンテンツ情報を受信したＷｅｂサーバー３０の制御部３１は、要求のあったＵＲＬから保管場所を抽出し、コンテンツデータベース４３内のその抽出した保管場所に受信したコンテンツ情報を保存する。この場合、制御部３１がコンテンツ情報を保存する場合に同一ファイル名が存在すれば、制御部３１は、受信した方のファイルに置き換える。更に、制御部３１は、コンテンツ取得要求があった携帯電話機５０に対してコンテンツ情報を送信する。（シーケンスＡ１０５，Ａ１０６，図７のステップＳ５０８）。
【００６５】
コンテンツ情報を受信した携帯電話機５０は、受信したコンテンツ情報を端末画面上に表示する。（シーケンスＡ１０７）。
【００６６】
図７のステップＳ５０６において、Ｗｅｂサーバー３０の制御部３１が携帯電話機１０との通信が確立できない場合、ＵＲＬから保管場所（ディレクトリ名）とファイル名を抽出し、コンテンツデータベース４３に保存してあるコンテンツ情報を読み出して、要求元の携帯電話機５０に送信する。（図７のステップＳ５０９）。
【００６７】
上記説明において、携帯電話機１０を携帯電話機としたが、携帯電話の機能のついたＰＤＡ、ＰＨＳ等の携帯端末（モバイル端末とも言う）であっても、本発明に含まれることは言うまでもない。
【００６８】
また、上記説明において、携帯電話機５０からＷｅｂサーバー３０に対してコンテンツ情報の閲覧要求を行うようにしたが、携帯電話端末１０からでもコンテンツ情報の閲覧を行っても良く、また、インターネット９０２に接続されたパソコン等のコンピュータからコンテンツ情報の閲覧要求を行うようにしても良い。
【００６９】
以上説明したように、携帯電話機１０が、コンテンツ情報を作成しその作成したコンテンツ情報を記憶部１５に保存し、携帯電話機１０が、作成したコンテンツ情報の登録場所をＵＲＬとしてＷｅｂサーバー３０にＵＲＬ登録申請を行い、Ｗｅｂサーバー３０が、携帯電話機１０からのＵＲＬ登録申請があった場合にＵＲＬを発生させその発生したＵＲＬに対応して携帯電話番号をＵＲＬ管理テーブル４１に登録して登録したＵＲＬをＵＲＬ登録申請元の携帯電話機１０に送信し、携帯電話機１０が、Ｗｅｂサーバー３０から登録したＵＲＬを受信するとその登録したＵＲＬと作成したコンテンツ情報とを対応付けて記憶部１５内のＵＲＬ管理テーブルに保存し、Ｗｅｂサーバー３０が、登録したＵＲＬに対するコンテンツ取得要求が携帯電話機５０からあった場合にＵＲＬ管理テーブル４１を基にそのＵＲＬに該当する携帯電話番号を抽出しその抽出した携帯電話番号宛てにコンテンツ取得要求を行い、携帯電話機１０が、Ｗｅｂサーバー３０からのコンテンツ取得要求があった場合に記憶部１５内のＵＲＬ管理テーブルを基に該当するコンテンツ情報の保管場所を抽出しその抽出した保管場所から該当するコンテンツ情報を読み出してＷｅｂサーバー３０に送信し、Ｗｅｂサーバー３０が、コンテンツ取得要求により携帯電話機１０からのコンテンツ情報を受信した場合に受信したコンテンツ情報をコンテンツデータベース４３に保存すると共にコンテンツ取得要求元の携帯電話機５０に送信するようにしているため、コンテンツ情報の情報提供者であるコンテンツ作成者は、携帯電話機１０の画面上でコンテンツを作成するだけで、コンテンツ閲覧者がコンテンツ取得の要求をＷｅｂサーバー３０へ送信した際にＷｅｂサーバー３０がコンテンツ作成者の携帯電話１０に対してコンテンツ取得を行うため、コンテンツ作成者はＷｅｂサーバー３０へ明示的にアップデートさせる必要はなく、手軽にコンテンツを作成できるようになる。また、携帯電話機１０にＷｅｂ機能を持たせる必要はない。また、交換機がコンテンツの履歴を管理する必要がない。また、携帯電話機１０が頻繁にコンテンツ情報を更新するような環境が発生したとしても、コンテンツ閲覧の要求があったときのみ、接続されることになり、余分な通信費用が発生しない。
【図面の簡単な説明】
【００７０】
【図１】本発明の実施の形態におけるシステムのブロック図である。
【図２】図１のＷｅｂサーバーのＵＲＬ管理テーブル内の構成の概略を示す構成概略図である。
【図３】図１のコンテンツ作成者側の携帯電話機のＵＲＬ管理テーブル内の構成の概略を示す構成概略図である。
【図４】図１のコンテンツ側の携帯電話機からＷｅｂサーバーへのＵＲＬの登録申請を行う場合のコンテンツ側の携帯電話機およびＷｅｂサーバーの動作を示すフローチャートである。
【図５】コンテンツ作成に伴う図１のコンテンツ作成側の携帯電話機の動作を示すフローチャートである。
【図６】図１のコンテンツ作成側の携帯電話機におけるＷｅｂサーバーからのコンテンツ要求受信時の動作を示すフローチャートである。
【図７】図１のコンテンツ閲覧を要望する携帯電話機からのアクセス時におけるＷｅｂサーバーの動作を示すフローチャートである。
【図８】図１のコンテンツ閲覧を要望する携帯電話機からのアクセス時におけるＷｅｂサーバと携帯電話機１０（ＭＳ−Ａ）と携帯電話機５０（ＭＳ−Ｂ）との間の動作を示すシーケンス図である。
【図９】ＵＲＬ内の構成の一例を示す構成図である。
【符号の説明】
【００７１】
１０，５０    携帯電話機
１１，３１    制御部
１２    無線部
１３    操作部
１４    表示部
１５    記憶部
１６，３３    プログラム格納部
２０    管理センター
３０    Ｗｅｂサーバー
３２    インタフェース部
４０    データベース
４１    ＵＲＬ管理テーブル
４２    ユーザ情報データベース
４３    コンテンツデータベース
４４    画面情報データベース
９０１    無線網
９０２    インターネット
【図１】
2005039588.tif 000003
【図２】
2005039588.tif 000004
【図３】
2005039588.tif 000005
【図４】
2005039588.tif 000006
【図５】
2005039588.tif 000007
【図６】
2005039588.tif 000008
【図７】
2005039588.tif 000009
【図８】
2005039588.tif 000010
【図９】
2005039588.tif 000011